(57)【要約】【課題】会合の実施条件に応じて什器のレイアウトを決定する作業が自動的に行われるようにし、これにより会議スペースの準備作業に要する労力の軽減を図る。【解決手段】検出装置１Ａにより参加者の人数を内部及び外部別に計数してその結果を端末装置２Ａに送信する。端末装置２Ａでは、レイアウト決定部２１Ａの制御の下、先ず受信した内部及び外部別の参加者数をキーとしてレイアウトＤＢ２３から条件が一致する基本レイアウト情報を読み出し、続いて当該基本レイアウト情報で指定された数の什器を什器ＤＢ２４から選択する。そして、上記読み出された基本レイアウト情報及び選択された什器のＩＤを含む移動制御情報を移動対象となる什器に向け通信部２２から送信し、当該移動制御情報により什器を移動先に自走で移動させるようにしている。【選択図】図１
2016001443.tif 000002
【特許請求の範囲】
【請求項１】
会合の実施条件を表す情報を取得する検出装置と、
前記検出装置との間で通信が可能な制御装置と
を具備し、
前記制御装置は、
想定される会合の実施条件に応じて予め設定された複数の基本レイアウト情報と、前記会合に使用する複数の什器の管理情報を記憶する記憶手段と、
前記検出装置により取得された会合の実施条件を表す情報と、前記記憶手段に記憶された複数の基本レイアウト情報とに基づいて、前記取得された実施条件に適合するレイアウトを決定すると共に、当該決定されたレイアウトに必要な什器を前記什器の管理情報から選択するレイアウト決定手段と、
前記決定されたレイアウトを表す情報及び前記選択された什器を表す情報を出力する出力手段と
を備えることを特徴とする会合支援システム。
【請求項２】
前記検出装置は、会合への参加者の人数及び属性を検出する手段を有し、
前記レイアウト決定手段は、前記検出された参加者の人数及び属性と、前記記憶された基本レイアウト情報とに基づいて、前記人数に応じた什器の数及びその配置位置を決定すると共に、当該決定された什器の数に対応する什器を前記什器の管理情報から選択する
ことを特徴とする請求項１記載の会合支援システム。
【請求項３】
前記検出装置は、会合への参加者の人数及び体型を検出する手段を有し、
前記レイアウト決定手段は、前記検出された参加者の人数及び体型と、前記記憶された基本レイアウト情報とに基づいて、前記人数に応じた什器の数とそのサイズ及び配置位置を決定すると共に、当該決定された什器の数とそのサイズに対応する什器を前記什器の管理情報から選択する
ことを特徴とする請求項１記載の会合支援システム。
【請求項４】
前記レイアウト決定手段は、
前記会合が実施前か実施中かを管理しその管理情報を記憶する手段と、
前記管理情報が会合の実施中を示す場合に、前記検出装置により新たに検出された参加者の人数を会合の実施前に決定されたレイアウトの人数と比較し、参加者が増加したと判定された場合に、前記記憶された複数の基本レイアウト情報に基づいてレイアウトを変更すると共に、前記参加者の増加に応じて前記什器の管理情報から什器を選択し直す手段と
を、さらに有することを特徴とする請求項１乃至３のいずれかに記載の会合支援システム。
【請求項５】
前記出力手段は、前記決定されたレイアウトを表す情報及び前記選択された什器を表す情報をもとに、当該選択された什器の移動方向と移動距離を算出し、当該算出された移動方向及び移動距離を含む移動制御信号を出力することを特徴とする請求項１乃至３のいずれかに記載の会合支援システム。
【請求項６】
会合の実施条件を表す情報を取得する検出装置との間で通信が可能な会合支援制御装置であって、
想定される会合の実施条件に応じて予め設定された複数の基本レイアウト情報と、前記会合に使用する複数の什器の管理情報を記憶する記憶手段と、
前記検出装置により取得された会合の実施条件を表す情報と、前記記憶手段に記憶された複数の基本レイアウト情報とに基づいて、前記取得された実施条件に適合するレイアウトを決定し、かつ当該決定されたレイアウトに必要な什器を前記什器の管理情報から選択するレイアウト決定手段と、
前記決定されたレイアウトを表す情報及び前記選択された什器を表す情報を出力する出力手段と
を具備することを特徴とする会合支援制御装置。
【請求項７】
会合の実施条件を表す情報を取得する検出装置と、前記検出装置との間で通信が可能な制御装置とを具備する会合支援システムが実行する会合支援方法であって、
前記検出装置が、会合の実施条件を表す情報を取得する過程と、
前記制御装置が、想定される会合の実施条件に応じて予め設定された複数の基本レイアウト情報と、前記会合に使用する複数の什器の管理情報を記憶手段に記憶させる過程と、
前記制御装置が、前記検出装置により取得された会合の実施条件を表す情報と、前記記憶手段に記憶された複数の基本レイアウト情報とに基づいて、前記取得された実施条件に適合するレイアウトを決定し、かつ当該決定されたレイアウトに必要な什器を前記什器の管理情報から選択する過程と、
前記制御装置が、前記決定されたレイアウトを表す情報及び前記選択された什器を表す情報を出力する過程と
を具備することを特徴とする会合支援方法。
【請求項８】
請求項１乃至５のいずれかに記載の会合支援システムが備える各手段による処理を、前記会合支援システムが備えるコンピュータに実行させるプログラム。
【発明の詳細な説明】
【技術分野】
【０００１】
この発明は、オフィスや会議場、集会場、宴会場等において行われる各種会合を支援するための会合支援システムとその制御装置、会合支援方法及びプログラムに関する。
【背景技術】
【０００２】
例えば会議を行う場合、会議の種別や参加人数等に応じて適切なスペースを準備する必要があるが、会議スペースを準備するための作業は一般に人手により行われている。このため、準備作業には多くの手間と労力が必要である。
【０００３】
一方、会議をよりスムーズに行うため、例えばグループウェア等により参加者と開催場所及び日時を予め登録し、会議スペースの予約を行うシステムが提案されている。また、会議スペース内の椅子や机等の什器の配置位置をセンサにより検出し、その検出結果をもとに会議室内の照明を自動制御するシステムも提案されている（例えば非特許文献１を参照）。
【先行技術文献】
【非特許文献】
【０００４】
【非特許文献１】Y. Takeuchi, Weightless Walls and the Future Office, Proc. Of ACM Int’l Conf. of CHI 2010, pp.619-628, 2010.
【発明の概要】
【発明が解決しようとする課題】
【０００５】
ところが、前者のシステムでは会議スペースの予約管理までは行うことができるが、予約された内容に応じて什器の配置位置等のレイアウトを決定する作業は依然として人手に頼らざるを得ない。また後者のシステムでは、会議室内の什器の配置位置に応じて照明の明るさ等が自動制御されるので、会議スペース内の環境をより適切に設定することが可能である。しかし、このシステムにおいても、会議の種類や参加人数に応じてレイアウトを決定する作業については依然として人手に頼らざるを得ない。
【０００６】
この発明は上記事情に着目してなされたもので、その目的とするところは、会合の実施条件に応じて什器のレイアウトを決定する作業が自動的に行われるようにし、これにより会合スペースの準備作業に要する労力の軽減を図った会合支援システムとその制御装置、会合支援方法及びプログラムを提供することにある。
【課題を解決するための手段】
【０００７】
上記目的を達成するためにこの発明の１つの観点は、会合の実施条件を表す情報を取得する検出装置と、上記検出装置との間で通信が可能な制御装置とを具備する会合支援システムにあって、上記制御装置に、想定される会合の実施条件に応じて予め設定された複数の基本レイアウト情報と、上記会合に使用する複数の什器の管理情報を記憶する記憶手段を設ける。そして、制御装置において、上記検出装置により取得された会合の実施条件を表す情報と、上記記憶手段に記憶された複数の基本レイアウト情報とに基づいて、上記取得された実施条件に適合するレイアウトを決定すると共に、当該決定されたレイアウトに必要な什器を上記什器の管理情報から選択し、当該決定されたレイアウトを表す情報及び上記選択された什器を表す情報を出力するようにしたものである。
【０００８】
また、この発明の１つの観点は以下のような態様を備えることを特徴とする。  
第１の態様は、検出装置により会合への参加者の人数及び属性を検出し、制御装置により、上記検出された参加者の人数及び属性と上記記憶された基本レイアウト情報とに基づいて上記人数に応じた什器の数及びその配置位置を決定すると共に、当該決定された什器の数に対応する什器を上記什器の管理情報から選択するようにしたものである。
【０００９】
第２の態様は、検出装置により会合への参加者の人数及び体型を検出し、制御装置により、上記検出された参加者の人数及び体型と上記記憶された基本レイアウト情報とに基づいて上記人数に応じた什器の数とそのサイズ及び配置位置を決定すると共に、当該決定された什器の数とそのサイズに対応する什器を上記什器の管理情報から選択するようにしたものである。
【００１０】
第３の態様は、制御装置により、会合が実施前か実施中かを管理してその管理情報を記憶する。そして、上記管理情報が会合の実施中を示す場合に、検出装置により新たに検出された参加者の人数を会合の実施前に決定されたレイアウトの人数と比較し、参加者が増加したと判定された場合に上記記憶された複数の基本レイアウト情報に基づいてレイアウトを変更すると共に、上記参加者の増加に応じて上記什器の管理情報から什器を選択し直すようにしたものである。
【００１１】
第４の態様は、制御装置により、上記決定されたレイアウトを表す情報及び上記選択された什器を表す情報をもとに、当該選択された什器の移動方向と移動距離を算出し、当該算出された移動方向及び移動距離を含む移動制御信号を出力するようにしたものである。
【発明の効果】
【００１２】
この発明の１つの観点によれば、検出装置により取得された会合の実施条件を表す情報と、記憶手段に予め記憶された複数の基本レイアウト情報とに基づいて、上記取得された実施条件に適合するレイアウトが決定されると共に、当該決定されたレイアウトに必要な什器が上記什器の管理情報から選択され、これらのレイアウト及び什器を表す情報が出力される。すなわち、会合の実施条件の取得から会合スペースのレイアウトの決定及び必要な什器の選択までの一連の処理が自動的に行われる。このため、会合スペースのレイアウトの生成及び必要な什器の選択作業を人手により行う必要がなくなり、これにより会合運営スタッフの労力を大幅に軽減することが可能となる。
【００１３】
第１の態様によれば、会合への参加者の人数及び属性が検出され、当該検出された参加者の人数に応じて什器の数及びその配置位置が決定され、当該決定された什器の数に対応する什器が選択される。このため、参加人数に応じた数の椅子や机が、参加者の属性に応じて適切な位置関係にレイアウトされる。例えば、参加者に内部者と外部者が含まれている場合には、これらの内部者と外部者とが互いに対面するように机と椅子が配置される。
【００１４】
第２の態様によれば、会合への参加者の人数と体型が検出され、この検出された参加者の人数と体型に応じた数及びサイズの什器が選択されて配置位置が決定される。このため、什器は、参加人数に対応する数が用意されることは勿論のこと、参加者それぞれの体型に合ったサイズが選択される。したがって、参加者には会合スペースにおいてより快適な環境を提供することが可能となる。
【００１５】
第３の態様によれば、会合の実施中に新たな参加者が加わろうとした場合に、その人数の増加に応じて自動的にレイアウトの変更及び什器の選択が行われる。このため、新たな参加者はスムーズに会合に加わることが可能となる。
【００１６】
第４の態様によれば、決定されたレイアウトを表す情報及び選択された什器を表す情報をもとに、当該選択された什器の会合スペースにおける移動方向と移動距離が算出され、この算出された移動方向及び移動距離を含む移動制御信号を出力される。したがって、例えば自走機構を備えた什器であれば、上記移動制御信号を与えるだけで、レイアウトにより指定された所定の位置に什器を移動させることが可能となる。
【００１７】
すなわちこの発明の１つの観点によれば、会合の実施条件に応じて什器のレイアウトを決定する作業が自動的に行われるようになり、これにより会合スペースの準備作業に要する労力の軽減を図ることができる会合支援システムとその制御装置、会合支援方法及びプログラムを提供することができる。
【図面の簡単な説明】
【００１８】
【図１】この発明に係る会合支援システムの第１の実施形態である会議支援システムの機能構成を示すブロック図。
【図２】図１に示した会議支援システムの動作手順と動作内容を示すフローチャート。
【図３】図１に示した会議支援システムで使用されるレイアウト情報の一例を示す図。
【図４】図１に示した会議支援システムで使用される什器情報の一例を示す図。
【図５】会議スペースに対し設定される位置座標の例を示す図。
【図６】この発明に係る会合支援システムの第２の実施形態である会議支援システムの機能構成を示すブロック図。
【図７】図６に示した会議支援システムの動作手順と動作内容の前半部分を示すフローチャート。
【図８】図６に示した会議支援システムの動作手順と動作内容の後半部分を示すフローチャート。
【図９】この発明に係る会合支援システムの第３の実施形態である会議支援システムの機能構成を示すブロック図。
【図１０】図９に示した会議支援システムの動作手順と動作内容を示すフローチャート。
【発明を実施するための形態】
【００１９】
以下、図面を参照してこの発明に係わる実施形態を説明する。  
［第１の実施形態］
この発明の第１の実施形態は、会議室の入り口において参加者数を内部及び外部別に検出し、その検出結果に基づいて会議室において机と椅子の配置を指定するレイアウト情報を自動生成し、このレイアウト情報に従い机と椅子を自走させて所定の位置に配置するようにしたものである。
【００２０】
（構成）
図１は、この発明に係る会合支援システムの第１の実施形態である会議支援システムの機能構成を示すブロック図である。  
この会議支援システムは、検出装置１Ａと、会議支援制御装置として端末装置２Ａと、什器としての椅子３及び机４を備えている。端末装置２Ａは、検出装置１Ａとの間、及び椅子３と机４との間で、それぞれ無線ネットワークを介して通信可能となっている。無線ネットワークとしては、例えば無線ＬＡＮ（Local Area Network）又はBluetooth（登録商標）等の小電力型の無線インタフェースが用いられる。なお、図１では什器として椅子３と机４のみを示したが、ホワイトボード等のその他の什器を備えていてもよい。
【００２１】
検出装置１Ａは、例えば会議室の入り口等に設置された入室カードキーリーダからなり、会議室への入室前に参加者のＩＤカードをそれぞれ読み取ることで、参加者の人数と、各参加者が内部者であるか外部者であるかを検出する。そして、この検出結果を表す情報を、会議の実施条件を表す情報として上記無線ネットワークを介して端末装置２Ａへ送信する機能を有する。
【００２２】
椅子３及び机４はいずれも複数個用意され、いずれも通信部３１，４１と、制御部３２，４２と、移動機構３３，４３と、センシング部３４，４４を備えている。通信部３１，４１は、上記端末装置２Ａから送信される移動制御情報を受信するために用いられる。移動機構３３，４３には、モータを動力源とし移動方向を自由に制御可能とした機構が用いられる。
【００２３】
センシング部３４，４４は、会議室内における自身の位置を測定するもので、例えば会議室内の所定位置に設置された複数の無線ＬＡＮアクセスポイントから送信される電波の受信強度をそれぞれ検出し、その検出結果をもとに会議室内における自身の現在位置を計算する。
【００２４】
制御部３２，４２は、上記通信部３１，４１により移動制御情報が受信されたとき、当該移動制御情報に含まれる移動先の座標値と、上記センシング部３４，４４により計算された自身の現在位置の座標値とから、上記移動先の座標値に到達するまでの移動経路を計算する。この移動経路は移動方向と移動距離により表される。そして、計算された移動経路に応じて上記移動機構３３，４３を駆動し、自身を移動先へ移動させる。
【００２５】
端末装置２Ａは例えばＣＰＵ（Central Processing Unit）を備え、この発明の第１の実施形態を実現するために必要な機能として、レイアウト決定部２１Ａと、通信部２２と、レイアウトデータベース（レイアウトＤＢ）２３と、什器データベース（什器ＤＢ）２４を備えている。
【００２６】
通信部２２は、上記検出装置１Ａとの間及び上記椅子３及び机４との間で検出結果を表す信号及び移動制御信号を送受信するために用いられる。
【００２７】
レイアウトＤＢ２３には、使用が想定される複数の基本レイアウト情報が記憶される。各基本レイアウト情報は、レイアウト名に対し、会議の条件を表す内部及び外部別の参加人数と、什器の移動先の配置位置を表す情報を関連付けたものである。什器の配置位置を表す情報には、椅子、机及びホワイトボードのそれぞれの移動先となる位置座標値が含まれる。
【００２８】
図３はレイアウトＤＢ２３に記憶される基本レイアウト情報の一例を示すものである。図３において、椅子、机及びホワイトボードの配置の欄に記載された数字が、移動先の配置位置の座標値を示すものである。座標値は、例えば図５に示すように会議スペースＭＳ上にその中心を原点としてＸ，Ｙ座標空間を設定したときの同空間の座標値を示す。
【００２９】
什器データベース（什器ＤＢ）２４には、会議室で使用可能な複数の什器の属性情報が記憶される。各属性情報は、什器ＩＤに対し、形状と、サイズと、使用状態を表す情報を関連付けたものからなる。図４はこの受信ＤＢ２４に記憶される什器の属性情報の一例を示すものである。
【００３０】
レイアウト決定部２１Ａは、上記検出装置１Ａから会議の実施条件を表す情報としての検出情報を受信すると、当該受信された検出情報に含まれる内部及び外部別の参加者数をキーとして上記レイアウトＤＢ２３から条件が一致する基本レイアウト情報を読み出す。さらに、上記読み出された基本レイアウト情報で指定されたサイズを有する机のＩＤを什器ＤＢ２４から選択的に読み出す。そして、上記読み出された基本レイアウト情報及び什器ＩＤを含む移動制御情報を、移動対象となる什器に向け通信部２２から送信させる。
【００３１】
（動作）
次に、以上のように構成された会議支援システムの動作を説明する。図２はその動作手順と動作内容を示すフローチャートである。  
会議に先立ち参加者は、会議室前の廊下や入り口に設置された検出装置１Ａにおいて、入室カードキーリーダに自身のＩＤカードを接触させる。検出装置１ＡはステップＳ１１により上記ＩＤカードからユーザＩＤを読み込み、読み込んだユーザＩＤが社員ＩＤであるかゲストＩＤであるかを判定することで、内部及び外部別の参加者数をそれぞれ計数する。そして、最後のユーザＩＤが読み込まれてから一定時間が経過すると、ステップＳ１２で参加者数の計数値を確定して、当該参加人数の計数値を検出情報として端末装置２Ａに送信する。
【００３２】
端末装置２Ａは、上記検出装置１Ａから送信された検出情報が通信部２２で受信されたことをステップＳ１３で確認すると、レイアウト決定部２１Ａの制御の下で以下のようなレイアウト決定処理を実行する。
【００３３】
すなわち、先ずステップＳ１４において、上記受信された検出情報に含まれる内部及び外部別の参加者数をキーとして、レイアウトＤＢ２３から条件が一致する基本レイアウト情報を読み出す。例えば、いま検出情報により参加人数が内部者２名及び外部者３名と指定されていたとすると、レイアウトＤＢ２３から図３に示すように「外部会議（内２，外３）」で表される基本レイアウト情報が読み出される。
【００３４】
続いてステップＳ１５により、上記読み出された基本レイアウト情報に記載された椅子、机及びホワイトボードの必要数に従い、什器ＤＢ２４から椅子、机及びホワイトボードを選択する。なお、このとき机に関しては基本レイアウト情報に記載されたサイズに対応するものを選択する。そして、ステップＳ１６において、上記選択された什器のＩＤを、上記レイアウトＤＢ２３から読み出された基本レイアウト情報に記載された各什器の移動先の座標値に対応付ける。最後にステップＳ１７により、上記対応付けられた什器ＩＤとその移動先の座標値を含む移動制御情報を、使用する什器群に向け通信部２２から送信させる。
【００３５】
これに対し什器群３，４，…は、以下のように動作する。なお、ここでは椅子と机を例にとってその動作を説明する。すなわち、椅子３及び机４は、自己宛の移動制御情報が通信部３１，４１により受信されたことをステップＳ１８で検出すると、ステップＳ１９により制御部３２，４２が、上記受信された移動制御情報に含まれる移動先の座標値と、センシング部３４，４４により計算された自己の現在位置の座標値とから、上記移動先の座標値に到達するまでの移動経路を計算する。この移動経路は移動方向と移動距離により表される。そして、ステップＳ２０において、上記計算された移動方向と移動距離に応じて移動機構３３，４３を駆動する。この結果、椅子３及び机４は、それぞれ基本レイアウト情報により指定された会議スペースＭＳ内の移動先座標値へ移動する。
【００３６】
例えば、図３に示す基本レイアウト情報「外部会議（内２，外３）」の椅子Ａに、図４に示す什器ＩＤ＝「椅子２」が対応付けられていれば、当該「椅子２」はレイアウト情報により指定された移動先のＸ，Ｙ座標値（８０，−２５）へ自律的に移動する。以下同様に、什器ＤＢ２４から選択されたその他の椅子も、基本レイアウト情報により指定された移動先の座標値へそれぞれ移動する。
【００３７】
また、机Ａに什器ＩＤ＝「机１」が対応付けられていれば、当該「机１」は基本レイアウト情報により指定された移動先のＸ，Ｙ座標値（０，０）へ自律的に移動し、長辺がＸ軸と並行する状態に配置される。なお、各什器は指定された座標値への移動が完了すると、その旨の応答情報を端末装置２Ａへ返送する。端末装置２Ａは移動対象の全ての什器から応答情報を受信すると、会議スペースの入り口に設置された表示板にその旨を表示する。なお、各参加者のＩＤカードに、準備が完了した旨の報知情報を送信して表示するようにしてもよい。
【００３８】
（効果）
以上詳述したように第１の実施形態では、以下のような対策を講じている。すなわち、検出装置１Ａにより参加者の人数を内部及び外部別に計数してその結果を検出情報として端末装置２Ａに送信する。端末装置２Ａでは、レイアウト決定部２１Ａの制御の下、先ず上記検出装置１Ａから受信された検出情報に含まれる内部及び外部別の参加者数をキーとしてレイアウトＤＢ２３から条件が一致する基本レイアウト情報を読み出す。次に、上記読み出された基本レイアウト情報で指定された数の什器を什器ＤＢ２４から選択する。そして、上記読み出された基本レイアウト情報及び什器ＩＤを含む移動制御情報を、移動対象となる什器に向け通信部２２から送信する。移動対象の什器３，４は、制御部３２，４２の制御の下、受信された移動制御情報に含まれる移動先の座標値と、センシング部３４，４４により計算された自身の現在位置の座標値とから、上記移動先の座標値に到達するまでの移動経路を計算し、この計算された移動経路に応じて移動機構３３，４３を駆動して自走させるようにしている。
【００３９】
したがって、会議の実施条件の取得から会議スペースのレイアウトの決定及び必要な什器の選択、さらには位置３と机４の移動までの一連の処理が自動的に行われる。このため、会合スペースのレイアウトの生成及び必要な什器の選択作業、さらには什器の移動作業を人手により行う必要がなくなり、これにより会議準備スタッフの労力を大幅に軽減することが可能となる。また、参加者に内部者と外部者が含まれている場合に、内部及び外部別の参加人数を検出して会議レイアウトを決定するようにしたことで、例えば内部者と外部者とが互いに対面するように机と椅子を配置することが可能となる。
【００４０】
［第２の実施形態］
この発明の第２の実施形態は、フリースペースにおいて会議前に参加予定者の会話を音声認識することで参加人数を検出し、その検出結果をもとに会議に必要な机、椅子及びホワイトボードの配置を指定するレイアウト情報を自動生成し、このレイアウト情報に従い机、椅子及びホワイトボードを自走させることで、フレースペースにアドホックな会議スペースを自動生成するようにしたものである。
【００４１】
（構成）
図６は、この発明の第２の実施形態に係る会議支援システムの機能構成を示すブロック図である。なお、同図において前記図１と同一部分には同一符号を付して詳しい説明は省略する。
【００４２】
検出装置１Ｂは音声認識装置を備える。そして、フリースペースにおいて会話に参加している人の音声を音声認識技術を用いて監視することで、一定期間ごとに会話人数を計算する。また、前回検出した会話人数に対し今回検出した会話人数が増加したか否かを判定し、増加した場合にはその増加人数を計算する。そして、上記今回検出した参加人数と上記計算された増加人数を検出情報として端末装置２Ｂへ送信する処理を行う。
【００４３】
端末装置２Ｂのレイアウト決定部２１Ｂは以下の機能を有する。  
(1) 上記検出装置１Ｂから検出情報を受信した場合に、会議前か会議中かを会議フラグをもとに判定する処理。  
(2) 会議前であれば、上記受信された検出情報に含まれる参加者数をキーとして上記レイアウトＤＢ２３から条件が一致する基本レイアウト情報を読み出す。さらに、上記読み出された基本レイアウト情報で指定されたサイズを有する机のＩＤを什器ＤＢ２４から選択的に読み出す。そして、上記読み出された基本レイアウト情報及び什器ＩＤを含む移動制御情報を、移動対象となる什器に向け通信部２２から送信させる処理。
【００４４】
(3) 会議中であれば、上記受信された検出情報に含まれる増加人数に相当する数の椅子ＩＤを什器ＤＢ２４から読み出す。そして、今回の会議で設定中のレイアウト情報をもとに、上記新たにＩＤを読み出した追加対象の椅子の移動先となる座標値を計算し、この計算された移動先の座標値を椅子ＩＤと共に移動制御情報に含め、追加対象となる椅子に向け通信部２２から送信させる処理。
【００４５】
ホワイトボード５は、椅子３及び机４と同様に、通信部５１と、制御部５２と、移動機構５３と、センシング部５４を備えている。通信部５１は、上記端末装置２Ｂから送信される移動制御情報を受信するために用いられる。移動機構５３には、モータを動力源とし移動方向を自由に制御可能とした機構が用いられる。
【００４６】
センシング部５４は、フリースペースにおけるホワイトボード５の位置を測定するもので、例えば複数の無線ＬＡＮアクセスポイントから送信される電波の受信強度をそれぞれ検出し、その検出結果をもとにフリースペース内におけるホワイトボードの現在位置を計算する。
【００４７】
制御部５２は、上記通信部５１により移動制御情報が受信されたとき、当該移動制御情報に含まれる移動先の座標値と、上記センシング部５４により計算された自己の現在位置の座標値とから、上記移動先の座標値に到達するまでの移動経路を計算する。この移動経路は移動方向と移動距離により表される。そして、計算された移動経路に応じて上記移動機構５３を駆動し、自己を移動先へ移動させる。
【００４８】
（動作）
次に、以上のように構成された会議支援システムの動作を説明する。図７及び図８はその動作手順と動作内容を示すフローチャートである。  
（１）会議開始前の支援
会議装置１Ｂは、図７に示すように、ステップＳ２１において、フリースペースにおいて会議への参加予定者の音声を音声認識技術を用いて常時監視し、予め設定した時間（例えば１分）ごとに当該監視時間中に収集した音声データを分析することで、会話人数とその継続時間を計算する。次にステップＳ２２において、２人以上による会話が予め設定した時間（例えば５分）以上継続しているか否かを判定する。この判定の結果、判定条件を満たしていなければステップＳ２１による会話の監視処理に戻る。
【００４９】
一方、２人以上による会話が５分以上継続した場合には、ステップＳ２３により前回の検出者数に対し今回の検出者数が増加したか否かを判定し、増加した場合にはその増加人数をステップＳ２４計算する。そしてステップＳ２５において、上記今回検出した参加人数と上記計算された増加人数を検出情報として端末装置２Ｂへ送信する。なお、前回の検出者数に対し今回の検出者数が増加していない場合には、ステップＳ２１による会話の監視処理に戻る。
【００５０】
端末装置２Ｂは、上記検出装置１Ｂから送信された検出情報が通信部２２で受信されたことをステップＳ２６で確認すると、レイアウト決定部２１Ｂの制御の下で次のようなレイアウト決定処理を実行する。
【００５１】
すなわち、先ずステップＳ２７において、会議フラグをもとに会議前か会議中かを判定する。この判定の結果、会議フラグが“False”であれば、「会議前」と判定してステップＳ２８に移行し、上記受信された検出情報に含まれる参加者数をキーとして、レイアウトＤＢ２３から条件が一致する基本レイアウト情報を読み出す。例えば、いま検出情報により参加人数が４名と指定されていたとすると、レイアウトＤＢ２３から図３に示すように「内部会議（内４）」で表される基本レイアウト情報が読み出される。
【００５２】
次にステップＳ２９により会議フラグを会議中であることを示す“True”にセットした後、ステップＳ３０において、上記読み出された基本レイアウト情報に記載された椅子、机及びホワイトボードの数に従い、什器ＤＢ２４から椅子、机及びホワイトボードを選択する。なお、このとき机に関しては基本レイアウト情報に記載されたサイズに対応するものを選択する。そして、ステップＳ３１において、上記選択された什器のＩＤを、上記レイアウトＤＢ２３から読み出された基本レイアウト情報に記載された各什器の移動先の座標値に対応付ける。最後にステップＳ３２により、上記対応付けられた什器ＩＤとその移動先の座標値を含む移動制御情報を、使用する什器群に向け通信部２２から送信する。
【００５３】
これに対し什器群３，４，５は、以下のように動作する。すなわち、椅子３、机４及びホワイトボード５は、それぞれ自己宛の移動制御情報が通信部３１，４１，５１により受信されたことをステップＳ３３で検出すると、ステップＳ３４，Ｓ３５により制御部３２，４２，５２が、上記受信された移動制御情報に含まれる移動先の座標値と、センシング部３４，４４，５４により計算された自己の現在位置の座標値とから、上記移動先の座標値に到達するまでの移動経路を計算する。この移動経路は移動方向と移動距離により表される。そして、ステップＳ３６において、上記計算された移動方向と移動距離に応じて移動機構３３，４３，５３を駆動する。この結果、椅子３、机４及びホワイトボード５は、それぞれ基本レイアウト情報により指定された会議スペースＭＳ内の移動先座標値へ移動する。
【００５４】
例えば、図３に示す基本レイアウト情報「内部会議（４）」の椅子Ａに、図４に示す什器ＩＤ＝「椅子１」が対応付けられていれば、当該「椅子１」はレイアウト情報により指定された移動先のＸ，Ｙ座標値（８０，−２５）へ自律的に移動する。以下同様に、什器ＤＢ２４から選択されたその他の椅子も、基本レイアウト情報により指定された移動先の座標値へそれぞれ移動する。
【００５５】
また、机Ａに什器ＩＤ＝「机１」が対応付けられていれば、当該「机１」は基本レイアウト情報により指定された移動先のＸ，Ｙ座標値（０，０）へ自律的に移動し、長辺がＸ軸と並行する状態に配置される。
【００５６】
さらに、ホワイトボード５については、基本レイアウト情報のＷＢＡに対し什器ＩＤ＝「ＷＢ１」が対応付けられていれば、当該「ＷＢ１」は基本レイアウト情報により指定された移動先のＸ，Ｙ座標値（０，−１００）へ自律的に移動し、かつ長辺がＹ軸と並行する状態に配置される。
【００５７】
なお、椅子３、机４及びホワイトボード５は、指定された座標値への移動が完了すると、その旨の応答情報を端末装置２Ｂへ返送する。端末装置２Ｂは移動対象の全ての什器から応答情報を受信すると、各参加者のＩＤカードに、準備が完了した旨の報知情報を送信して表示する。かくして、参加者はフリースペース内に設定された会議スペースで会議を開始できる。
【００５８】
（２）会議中の支援（会議スペースに参加者がさらに加わる場合）
端末装置２Ｂのレイアウト決定部２Ｂは、ステップＳ２７において、会議フラグが“True”であれば、「会議中」と判定して図８に示すステップＳ３７に移行する。そして、このステップＳ３７において、上記受信された検出情報に含まれる増加人数に相当する数の椅子ＩＤを什器ＤＢ２４から選択的に読み出す。
【００５９】
続いてステップＳ３８において、今回の会議で使用中の基本レイアウト情報をもとに、上記新たにＩＤを読み出した追加対象の椅子の移動先となる座標値を計算する。すなわち、使用中のレイアウトの中で空きスペースとなっている位置を探し、当該空きスペースとなっている位置の座標値を移動先として求める。なお、上記使用中の基本レイアウト情報は、上記椅子の追加が行われた後のレイアウトに変更される。そして、ステップＳ３９により、上記計算された移動先の座標値を椅子ＩＤと共に移動制御情報に含め、追加対象となる椅子に向け通信部２２から送信する。
【００６０】
これに対し追加対象となった椅子３は、以下のように動作する。すなわち、追加対象の椅子３は、自己宛の移動制御情報が通信部３１により受信されたことをステップＳ４０で検出すると、ステップＳ４１，Ｓ４２により制御部３２が、上記受信された移動制御情報に含まれる移動先の座標値と、センシング部３４により計算された自己の現在位置の座標値とから、上記移動先の座標値に到達するまでの移動経路を計算する。この移動経路は移動方向と移動距離により表される。そして、ステップＳ４３において、上記計算された移動方向と移動距離に応じて移動機構３３を駆動する。この結果、追加対象の椅子３は、変更後のレイアウト情報により指定された会議スペースＭＳ内の空きスペースへ移動する。
【００６１】
かくして、会議スペースへの椅子の追加が自動的に行われ、新規参加者は当該椅子に座ることで会議に参加することが可能となる。
【００６２】
（効果）
以上詳述したように第２の実施形態では、フリースペースにおいて会議前に参加予定者の会話を音声認識することで参加人数を検出し、その検出結果をもとに会議に必要な机３、椅子４及びホワイトボード５の配置を指定する基本レイアウト情報を自動生成し、この基本レイアウト情報に従い机３、椅子４及びホワイトボード５を自走させることで、フレースペースにアドホックな会議スペースを自動生成するようにしている。
【００６３】
したがって、第１の実施形態と同様に、会議の実施条件の取得から会議スペースのレイアウトの決定及び必要な什器の選択、さらには机３、椅子４及びホワイトボード５の移動までの一連の処理が自動的に行われる。このため、会合スペースのレイアウトの生成及び必要な什器の選択作業、さらには什器の移動作業を人手により行う必要がなくなり、これにより会議準備スタッフの労力を大幅に軽減することが可能となる。
【００６４】
さらに、会議中において参加人数の増加が検出された場合には、什器ＤＢ２４から増加人数分の椅子が選択され、この選択された椅子を追加すべき位置座標が使用中の基本レイアウト情報をもとに計算されて、この計算された位置へ追加対象の椅子が移動するように制御される。このため、会議スペースの新規レイアウトの生成に止まらず、会議参加者の追加に伴うレイアウト変更にも自動的に対応できる。
【００６５】
［第３の実施形態］
この発明の第３の実施形態は、会議への参加人数と共に参加者の属性と体型を検出し、その検出結果をもとに会議に必要な机、椅子及びホワイトボードの配置を指定するレイアウト情報を自動生成すると共に、体型に応じたサイズの椅子を選択し、さらに上記レイアウト情報に従い机、椅子及びホワイトボードを自走させることで、会議スペースを自動生成するようにしたものである。
【００６６】
（構成）
図９は、この発明の第３の実施形態に係る会議支援システムの機能構成を示すブロック図である。なお、同図において前記図１と同一部分には同一符号を付して詳しい説明は省略する。
【００６７】
検出装置１Ｃは、例えば会議室の入り口等に設置された入出カードキーリーダと、参加者の身長を計測するレーザアレイ入室センサと、会議予定をスケジュール管理する社内スケジューラに対しアクセスする機能を備える。そして、会議室に入室する際に参加者のＩＤカードをそれぞれ読み取ることで、内部及び外部別の参加者数を検出し、さらにレーザアレイ入室センサにより参加者の身長を計測する。また、社内スケジューラから会議の種類又は内容を表す情報を取得する。そして、これらの検出情報を、会議の実施条件を表す情報として上記無線ネットワークを介して端末装置２Ｃへ送信する機能を有する。なお、レーザアレイ入室センサとしては、赤外線アレイを用いた人感センサが用いられる。
【００６８】
端末装置２Ｃのレイアウト決定部２１Ｃは、以下の機能を有する。  
(1) 検出装置１Ｃから会議の実施条件を表す情報として検出情報を受信すると、当該受信された検出情報に含まれる内部及び外部別の参加者数と、会議の種類又は内容を表す情報をキーとして、上記レイアウトＤＢ２３から条件が一致する基本レイアウト情報を読み出す処理。  
(2) 上記読み出された基本レイアウト情報、及び参加者の身長を表す情報をもとに、什器ＤＢ２４から参加者数に対応する数でかつ参加者の身長に対応するサイズを有する什器群の什器ＩＤを読み出す処理。  
(3) 上記読み出された基本レイアウト情報及び什器ＩＤを含む移動制御情報を、移動対象となる什器に向け通信部２２から送信させる処理。
【００６９】
（動作）
次に、以上のように構成された会議支援システムの動作を説明する。図１０はその動作手順と動作内容を示すフローチャートである。  
会議に先立ち参加者は、会議室の入り口等に設置された検出装置１Ｃにおいて、入室カードキーリーダに自身のＩＤカードを接触させる。検出装置１Ｃは先ずステップＳ５１により上記ＩＤカードからユーザＩＤを読み込み、この読み込んだユーザＩＤが社員ＩＤであるかゲストＩＤであるかを判定する。またそれと共に、上記ＩＤカードを入室カードキーリーダに接触させた直後の参加者の身長をレーザアレイ入室センサにより計測する。そして、上記内部者か外部者かを判定した結果と、上記身長の計測結果とを組み合わせて、「身長１８７cmの社外の人」、「身長１６８cmの社員」といった検出情報を生成し保存する。以上の処理を予め設定した一定時間（例えば１０分間）に亘り行い、当該１０分間が経過するとその間に保存された検出情報をもとに内部及び外部別の参加者数を計数する。
【００７０】
次にステップＳ５２において、社内スケジューラに対し社内ＬＡＮを介して現在の日時をキーにしてアクセスし、社内スケジューラから予め登録されている会議スケジュール情報を読み出す。会議スケジュール情報には、例えば「１５時からＡ会議室において内部向け講義」のように会議種別又はその内容が記載されている。
【００７１】
最後にステップＳ５３において、上記計数された内部及び外部別の参加人数と、各参加者の身長と、上記社内スケジューラから取得した会議スケジュール情報とを含む検出情報を生成し、この検出情報を端末装置２Ｃに向け送信する。
【００７２】
これに対し端末装置２Ｃは、上記検出装置１Ｃから送信された検出情報が通信部２２で受信されたことをステップＳ５４で確認すると、レイアウト決定部２１Ｃの制御の下で次のようなレイアウト決定処理を実行する。
【００７３】
すなわち、先ずステップＳ５５において、上記受信された検出情報に含まれる内部及び外部別の参加者数と、会議スケジュール情報をキーとして、レイアウトＤＢ２３から条件が一致する基本レイアウト情報を読み出す。例えば、いま検出情報により参加人数が内部者１２名及び外部者１名と指定され、かつ会議スケジュール情報に「１５時からＡ会議室において内部向け講義」と記載されていれば、レイアウトＤＢ２３から図３に示す「内部向け講義（１２）」で表される基本レイアウト情報が読み出される。
【００７４】
続いてステップＳ５６において、上記読み出された基本レイアウト情報に記載された椅子、机及びホワイトボードの必要数と、上記検出情報に含まれる各参加者の身長を表す情報に従い、什器ＤＢ２４から上記必要数に相当する数の椅子、机及びホワイトボードを選択し、かつ椅子については参加者の身長に対応するサイズのものを選択する。例えば、いまある参加者の身長が１８７cmであれば、当該参加者に対し大サイズの「椅子１」が選択され、また別の参加者の身長が１６８cmであれば中サイズの「椅子２」が選択される。
【００７５】
次にステップＳ５７において、上記選択された什器のＩＤを、上記レイアウトＤＢ２３から読み出された基本レイアウト情報に記載された各什器の移動先の座標値に対応付ける。最後にステップＳ５８により、上記対応付けられた什器ＩＤとその移動先の座標値を含む移動制御情報を、使用対象となる什器群に向け通信部２２から送信させる。
【００７６】
これに対し什器群３，４，５は、以下のように動作する。すなわち、椅子３、机４及びホワイトボード５は、自己宛の移動制御情報が通信部３１，４１，５１により受信されたことをステップＳ５９で検出すると、制御部３２，４２，５２がステップＳ６０，Ｓ６１において、上記受信された移動制御情報に含まれる移動先の座標値と、センシング部３４，４４，５４により計算された自己の現在位置の座標値とから、上記移動先の座標値に到達するまでの移動経路を計算する。この移動経路は移動方向と移動距離により表される。そして、ステップＳ６２において、上記計算された移動方向と移動距離に応じて移動機構３３，４３，５３を駆動する。この結果、椅子３、机４及びホワイトボード５は、それぞれ基本レイアウト情報により指定された会議スペースＭＳ内の移動先座標値へ移動する。
【００７７】
例えば、図３に示す基本レイアウト情報「内部向け講義（１２）」の椅子Ａに、図４に示す什器ＩＤ＝「椅子２」が対応付けられていれば、当該「椅子２」はレイアウト情報により指定された移動先のＸ，Ｙ座標値（２１０，−９０）へ自律的に移動する。同様に、什器ＤＢ２４から選択されたその他の椅子も、基本レイアウト情報により指定された移動先の座標値へそれぞれ移動する。
【００７８】
また、机Ａに什器ＩＤ＝「机１」が対応付けられていれば、当該「机１」は基本レイアウト情報により指定された移動先のＸ，Ｙ座標値（１８０，−１５０）へ自律的に移動し、長辺がＹ軸と並行する状態に配置される。
【００７９】
さらに、ホワイトボード５については、基本レイアウト情報のＷＢＡに対し什器ＩＤ＝「ＷＢ１」が対応付けられていれば、当該「ＷＢ１」は基本レイアウト情報により指定された移動先のＸ，Ｙ座標値（０，−３５０）へ自律的に移動し、かつ長辺がＹ軸と並行する状態に配置される。
【００８０】
なお、椅子３、机４及びホワイトボード５は、指定された座標値への移動が完了すると、その旨の応答情報を端末装置２Ｃへ返送する。端末装置２Ｃは移動対象の全ての什器から応答情報を受信すると、各参加者のＩＤカードに、準備が完了した旨の報知情報を送信して表示する。かくして、参加者はフリースペース内に設定された会議スペースで会議を開始できる。
【００８１】
（効果）
以上詳述したように第３の実施形態では、会議への参加人数を内部及び外部別に検出すると共に各参加者の身長を計測し、さらに社内スケジューラから現在の日時をキーに会議の種別又は内容を表す会議スケジュール情報を取得し、上記内部及び外部別の参加者数と会議スケジュール情報をもとに会議に必要な机、椅子及びホワイトボードの配置を指定するレイアウト情報を自動生成すると共に、参加者の身長に応じたサイズの椅子を選択し、さらに上記レイアウト情報に従い机、椅子及びホワイトボードを自走させることで、会議スペースを自動生成するようにしている。
【００８２】
したがって、第１の実施形態と同様に、会議の実施条件の取得から会議スペースのレイアウトの決定及び必要な什器の選択、さらには机３、椅子４及びホワイトボード５の移動までの一連の処理が自動的に行われる。このため、会合スペースのレイアウトの生成及び必要な什器の選択作業、さらには什器の移動作業を人手により行う必要がなくなり、これにより会議準備スタッフの労力を大幅に軽減することが可能となる。
【００８３】
さらに、会合への参加者の身長が検出され、この検出された参加者の身長に応じたサイズの什器が選択される。このため、参加者それぞれの体型に合ったサイズの什器が選択されることになり、これにより参加者に対し会合スペースにおいてより快適な環境を提供することができる。なお、体型としては身長以外に体重や腰回りのサイズなどを計測するようにしてもよい。
【００８４】
［その他の実施形態］
前記各実施形態では会議支援を行うためのシステムを例に説明したが、それに限定されるものではない。例えば、立食パーティの会場で、参加者が立っている位置と人数を検出装置で検出した後、その場所に人数に合った円卓を置くレイアウトを決定し、当該レイアウトに従い円卓を移動させるようにしてもよい。要するに会合の種類は会議には限定されない。
【００８５】
また、前記各実施形態では各什器が自走のための移動機構３３，４３，５３を備え、この移動機構３３，４３，５３により各什器の位置を自動的に移動させるようにした。しかし、これに限定されるものではなく、例えば１台以上のロボットに移動対象の什器ＩＤとその移動先を表す座標値を与え、ロボットが上記与えられた什器ＩＤと座標値をもとに移動対象の各什器を移動させるようにしてもよい。さらに、床に固定された什器を床ごと移動させるようにしたり、床に敷かれたレールに沿って什器を移動させるように構成してもよい。
【００８６】
さらに、什器を移動させた後に、参加者による什器の位置の修正操作を受け付け、この修正操作により入力された修正情報に応じて対応する基本レイアウトを修正するか、或いは新たなレイアウト情報を作成してレイアウトＤＢに追加登録するようにしてもよい。
【００８７】
さらに前記各実施形態では、端末装置２Ａ，２Ｂ，２Ｃから什器群へ移動制御信号を送信し、各什器３，４，５が上記送られた移動制御信号に含まれる移動先の座標値をもとに移動方向と移動距離を算出して、移動機構３３，４３，５３を制御するようにした。しかしそれに限定されるものではなく、レイアウト情報に基づく什器の移動方向と移動距離の算出を端末装置２Ａ，２Ｂ，２Ｃにおいて行い、その算出結果を移動制御信号に含めて什器３，４，５へ送信するようにしてもよい。この場合、端末装置２Ａ，２Ｂ，２Ｃは移動対象となる各什器３，４，５の位置情報を取得する必要があるが、各什器３，４，５が会議終了後に、予め設定された初期位置に自走して戻る機能を備えている場合には、位置情報の取得は不要である。一方、什器３，４，５が初期位置に復帰する機能を備えていない場合には、端末装置２Ａ，２Ｂ，２Ｃは什器３，４，５との間で通信を行うことで什器から位置情報を取得すればよい。
【００８８】
その他、参加者の人数等の実施条件の取得手段、基本レイアウト情報の構成や什器の種類、什器の移動手段等についても、この発明の要旨を逸脱しない範囲で種々変形して実施可能である。
【００８９】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００９０】
１Ａ，１Ｂ，１Ｃ…検出装置、１Ａ，２Ｂ，２Ｃ…端末装置、３…椅子、４…机、５…ホワイトボード、２１Ａ，２１Ｂ，２１Ｃ…レイアウト決定部、２２，３１，４１，５１…通信部、２３…レイアウトデータベース（レイアウトＤＢ）、２４…什器データベース（什器ＤＢ）、３２，４２，５２…制御部、３３，４３，５３…移動機構、３４，４４，５４…センシング部。
【図１】
2016001443.tif 000003
【図２】
2016001443.tif 000004
【図３】
2016001443.tif 000005
【図４】
2016001443.tif 000006
【図５】
2016001443.tif 000007
【図６】
2016001443.tif 000008
【図７】
2016001443.tif 000009
【図８】
2016001443.tif 000010
【図９】
2016001443.tif 000011
【図１０】
2016001443.tif 000012